(57)【特許請求の範囲】
【請求項１】
筐体の外装に設けられ、情報を表示する表示部とユーザによって接触される接触部とを有する外装パネルと、
前記外装パネルよりも前記筐体の内部側に設けられ、前記接触部が接触されたことを検知する面状のセンサ部と、
前記センサ部よりも前記筐体の内部側に設けられ、前記センサ部によって前記接触部が接触されたことが検知された場合に発光する発光部材が設置される発光部と、
前記センサ部と前記発光部とを電気的に接続する接続部と
を有し、
前記発光部は、前記センサ部によって前記接触部内の接触位置における接触が検知された場合、接触が検知されてから所定時間経過後に、前記接触位置に対応する位置に設置された発光部材を発光させ、
前記表示部は、前記センサ部によって検知された接触位置の移動に伴って前記発光部における発光位置が変化する際に、表示される情報を変更する
ことを特徴とする携帯端末装置。
【請求項２】
前記センサ部は、
第１面状部と、前記第１面状部に設置されるセンサ部材とを有し、
前記発光部は、
前記発光部材が設置される第２面状部を有し、
前記接続部は、
前記第１面状部と前記第２面状部とを一体的に接続する
ことを特徴とする請求項１に記載の携帯端末装置。
【請求項３】
前記センサ部は、
前記発光部材に対向する位置の近傍に孔が形成される
ことを特徴とする請求項１又は２に記載の携帯端末装置。
【発明の詳細な説明】
【技術分野】
【０００１】
本発明は、携帯端末装置及びセンサモジュールに関する。
【背景技術】
【０００２】
近年、携帯電話機などの携帯端末装置には、ユーザの指やペン等によって外装パネルに触れられた場合に、筐体内部に設けられたＬＥＤ（Light  Emitting  Diode）等の発光部材が発光するものがある。この種の携帯端末装置は、例えば筐体内部に静電センサを有し、外装パネルが触れられた場合に、静電センサによって静電容量の変化が検知されることで発光部材を発光させる。このようにして、携帯端末装置は、外装パネルに触れられた態様によって様々な発光態様を実現する。これにより、ユーザは、携帯端末装置によって実現される様々なイルミネーションを享受できる。
【先行技術文献】
【特許文献】
【０００３】
【特許文献１】特開２００８−１３１５９７号公報
【特許文献２】特開２００９−９９０６７号公報
【特許文献３】特開２００７−３１１０４４号公報
【発明の概要】
【発明が解決しようとする課題】
【０００４】
しかしながら、上記従来の携帯端末装置には、静電センサの感度が低いという問題がある。かかる問題について、図７を用いて具体的に説明する。図７は、従来の携帯端末装置における内部構造を模式的に示す図である。図７に示すように、従来の携帯端末装置９０は、ユーザに触れられる外装パネル９１を有する。そして、携帯端末装置９０は、筐体内部に、フレキシブルケーブル９２と、静電センサ９３ａ及び９３ｂと、ＬＥＤ９４と、スペーサ９５ａ及び９５ｂとを有する。フレキシブルケーブル９２には、静電センサ９３ａ及び９３ｂと、ＬＥＤ９４とが接続される。スペーサ９５ａ及び９５ｂは、筐体内部に間挿されることにより、筐体内部に空間が形成されることを防止する。
【０００５】
このような構成の下、ユーザの指やペン等によって外装パネル９１が触れられた場合に、指等に触れられた位置の近傍に設けられた静電センサ９３ａ及び９３ｂは、静電容量の変化を検知する。そして、ＬＥＤ９４は、自身の近傍に位置する静電センサ９３ａ及び９３ｂによって静電容量の変化が検知された場合に、発光する。
【０００６】
ここで、図７に示すように、外装パネル９１から静電センサ９３ａ及び９３ｂまでの距離が長いので、外装パネル９１に指等が触れられた場合であっても、静電センサ９３ａ及び９３ｂが静電容量の変化を検知しにくい場合がある。すなわち、従来の携帯端末装置９０においては、その内部構造に起因して静電センサ９３ａ及び９３ｂの感度の低下が起こり得る。また、静電センサ９３ａ及び９３ｂによる検知に連動するＬＥＤ９４の発光を、望ましい態様で効果的に演出しきれていない場合がある。
【０００７】
開示の技術は、上記に鑑みてなされたものであって、静電センサの感度を向上させることができる携帯端末装置及びセンサモジュールを提供することを目的とする。
【課題を解決するための手段】
【０００８】
本願の開示する携帯端末装置は、一つの態様において、筐体の外装に設けられ、情報を表示する表示部とユーザによって接触される接触部とを有する外装パネルと、前記外装パネルよりも前記筐体の内部側に設けられ、前記接触部が接触されたことを検知する面状のセンサ部と、前記センサ部よりも前記筐体の内部側に設けられ、前記センサ部によって前記接触部が接触されたことが検知された場合に発光する発光部材が設置される発光部と、前記センサ部と前記発光部とを電気的に接続する接続部とを有し、前記発光部は、前記センサ部によって前記接触部内の接触位置における接触が検知された場合、接触が検知されてから所定時間経過後に、前記接触位置に対応する位置に設置された発光部材を発光させ、前記表示部は、前記センサ部によって検知された接触位置の移動に伴って前記発光部における発光位置が変化する際に、表示される情報を変更する。
【発明の効果】
【０００９】
本願の開示する携帯端末装置及びセンサモジュールの一つの態様によれば、静電センサの感度を向上させることができるという効果を奏する。
【図面の簡単な説明】
【００１０】
【図１】図１は、実施例に係る携帯端末装置の外観斜視図である。
【図２】図２は、実施例に係る携帯端末装置の内部構造を模式的に示す図である。
【図３】図３は、実施例に係る携帯端末装置の内部構造を模式的に示す図である。
【図４】図４は、本実施例におけるセンサモジュールを示す平面図である。
【図５】図５は、折り曲げられた状態におけるセンサモジュールを示す平面図である。
【図６】図６は、図１のＩ−Ｉ線における断面を模式的に示す図である。
【図７】図７は、従来の携帯端末装置における内部構造を模式的に示す図である。
【発明を実施するための形態】
【００１１】
以下に、本願の開示する携帯端末装置及びセンサモジュールの実施例を図面に基づいて詳細に説明する。なお、この実施例により本願の開示する携帯端末装置及びセンサモジュールが限定されるものではない。
【実施例１】
【００１２】
まず、図１を用いて、本実施例に係る携帯端末装置の外観について説明する。図１は、本実施例に係る携帯端末装置の外観斜視図である。図１に示すように、本実施例に係る携帯端末装置１００は、折り畳み型携帯電話機であり、可動側筐体１１０と固定側筐体１２０とを有する。可動側筐体１１０と固定側筐体１２０とは、連結部１３０により折り畳み自在に連結される。なお、図１は、固定側筐体１２０に対して可動側筐体１１０が折り畳まれた状態の例を示している。
【００１３】
可動側筐体１１０は、折り畳まれた状態において外装となる面に外装パネル１４０が設けられる。外装パネル１４０は、表示部１４１と、接触部１４２とを有する。表示部１４１は、例えば液晶ディスプレイであり、各種情報を表示する。例えば、表示部１４１は、電子メールを受信した場合に、電子メールを受信したことを通知する旨の情報を表示したり、着信があった場合に、発信者に関する情報を表示したりする。
【００１４】
接触部１４２は、ユーザの指やペン等によって接触された場合に、発光する領域である。例えば、接触部１４２は、ユーザによって接触された位置を発光させる。また、例えば、接触部１４２は、ユーザによって接触されてから所定の時間が経過した後に、接触された位置を発光させる。
【００１５】
なお、接触部１４２は、発光するだけでなく操作部を兼ねてもよい。例えば、接触部１４２は、指等が接触された状態でかかる指等が左右や上下等に移動された場合には、表示部１４１に受信済みの電子メール等を表示してもよい。これにより、ユーザは、接触部１４２に接触するだけで電子メール等を閲覧することができる。
【００１６】
固定側筐体１２０は、図示しない多機能キー、決定キー、ダイヤルキー、テンキー等の操作部や、各種のサイドキー１２１等が設けられる。これら可動側筐体１１０及び固定側筐体１２０は、例えば、軽量で高強度のマグネシウム合金等の材料により箱形状に形成されている。
【００１７】
次に、図２及び図３を用いて、本実施例における可動側筐体１１０について説明する。図２及び図３は、本実施例に係る携帯端末装置１００の内部構造を模式的に示す図である。なお、図２は、携帯端末装置１００を可動側筐体１１０側から見た図である。また、図３は、携帯端末装置１００を固定側筐体１２０側から見た図である。
【００１８】
図２及び図３に示すように、可動側筐体１１０は、筐体内部にセンサモジュール１５０が設けられる。具体的には、可動側筐体１１０は、種々の電子部品が実装された基板の上にセンサモジュール１５０が設けられ、かかるセンサモジュール１５０の上に外装パネル１４０が設けられる。センサモジュール１５０は、外装パネル１４０の接触部１４２が指等によって接触されたか否かを検知し、接触部１４２が接触された場合に発光する。
【００１９】
ここで、図４を用いて、センサモジュール１５０について説明する。図４は、本実施例におけるセンサモジュール１５０を示す平面図である。図４に示すように、センサモジュール１５０は、フレキシブルケーブル基材１５１のうち、センサ部材１５２が設置される領域１５０ａと、発光部材１５３が設置される領域１５０ｂと、領域１５０ａ及び領域１５０ｂの間に領域１５０ｃとを有する。すなわち、センサモジュール１５０は、フレキシブルケーブル基材１５１によってセンサ部材１５２と発光部材１５３とが接続されて形成される。
【００２０】
センサ部材１５２は、例えば、静電センサや加圧センサ等であり、外装パネル１４０が接触されたことを検知する。具体的には、センサ部材１５２は、静電センサである場合には、静電容量の変化を検知することにより、ユーザの指やペン等によって外装パネル１４０が触れられたことを検知する。また、センサ部材１５２は、加圧センサである場合には、自身に加わる圧力の変化を検知することにより、外装パネル１４０が触れられたことを検知する。
【００２１】
発光部材１５３は、例えば、ＬＥＤ等であり、センサ部材１５２によって外装パネル１４０が接触されたことが検知された場合に発光する。なお、携帯端末装置１００によっては、センサ部材１５２によって接触されたことが検知された場合に、発光部材１５３をすばやく発光させるものがある。したがって、センサ部材１５２及び発光部材１５３は、図４に示した例のように、同一のフレキシブルケーブル基材１５１上に設置されることが好ましい。これにより、携帯端末装置１００は、センサ部材１５２によって接触されたことが検知された場合に、発光部材１５３をすばやく発光させることができる。
【００２２】
本実施例におけるセンサモジュール１５０は、センサ部材１５２が設置される領域１５０ａと、発光部材１５３が設置される領域１５０ｂとが対向するように、領域１５０ａと領域１５０ｂの間における領域１５０ｃで折り曲げられる。また、図４に示すように、センサ部材１５２が設置される領域１５０ａには、センサモジュール１５０が折り曲げられた状態において発光部材１５３と対向する位置に孔１５４が形成される。すなわち、センサモジュール１５０は、領域１５０ｃで折り曲げられることにより、領域１５０ａと領域１５０ｂとが対向に配置され、センサ部材１５２と発光部材１５３とが対向に配置される。また、領域１５０ａと領域１５０ｂとが対向に配置されることにより、発光部材１５３と孔１５４とが対向に配置される。この結果、発光部材１５３によって発光される光は、孔１５４を通過することができるので、携帯端末装置１００は、発光部材１５３によって発光される光の光量を減少させることなく、かかる光を外装パネル１４０まで到達させることができる。
【００２３】
図５は、折り曲げられた状態におけるセンサモジュール１５０を示す平面図である。センサモジュール１５０は、図５に示した例のように領域１５０ｃで折り曲げられた状態において、可動側筐体１１０の内部に設置される。このとき、センサモジュール１５０は、センサ部材１５２が外装パネル１４０側に位置し、発光部材１５３が可動側筐体１１０の基板側に位置するように、可動側筐体１１０の内部に設置される。
【００２４】
次に、図６を用いて、本実施例に係る可動側筐体１１０の内部構造について説明する。図６は、図１のＩ−Ｉ線における断面を模式的に示す図である。図６に示すように、携帯端末装置１００は、外装パネル１４０よりも可動側筐体１１０の内部の第１層Ｌ１に、センサ部材１５２が設けられる。また、携帯端末装置１００は、第１層Ｌ１よりも可動側筐体１１０の内部の第２層Ｌ２に、発光部材１５３が設けられる。言い換えれば、可動側筐体１１０は、発光部材１５３が設けられる第２層Ｌ２、センサ部材１５２が設けられる第１層Ｌ１、外装パネル１４０の順に積層される。
【００２５】
そして、第１層Ｌ１に設けられるセンサ部材１５２と、第２層Ｌ２に設けられる発光部材１５３とは、フレキシブルケーブル基材１５１によって電気的に接続される。これは、上述したように、同一のフレキシブルケーブル基材１５１上にセンサ部材１５２及び発光部材１５３が設置されたセンサモジュール１５０が折り曲げられ、折り曲げられたセンサモジュール１５０が携帯端末装置１００に実装されるからである。このため、携帯端末装置１００は、外装パネル１４０の直下にセンサ部材１５２が配置されるとともに、同一のフレキシブルケーブル基材１５１によってセンサ部材１５２と発光部材１５３とが接続される。
【００２６】
なお、センサ部材１５２が設置される領域１５０ａ側と、発光部材１５３が設置される領域１５０ｂ側とで、フレキシブルケーブル基材１５１の厚さを異ならせても良い。例えば、センサ部材１５２が設置される領域１５０ａ側のフレキシブルケーブル基材１５１の厚さを、発光部材１５３が設置される領域１５０ｂ側よりも厚くするとよい。これにより、静電センサ及びセンサモジュールの出力を制御する制御ＩＣチップ（図４において領域１５０ａ内の右下側に配置されている）の実装に適した基材強度を確保するとともに、領域１５０ａと領域１５０ｂとを重ねたときのセンサモジュールの薄型化に寄与する。すなわち、本実施例に係るセンサモジュールでは、静電センサなどのセンサ部材１５２及び制御ＩＣチップを同一面側の領域１５０ａに配置し、発光部材１５３を対向する面側の領域１５０ｂに配置している。これにより、センサモジュールの薄型化に寄与している。
【００２７】
このような構成の下、センサ部材１５２近傍の外装パネル１４０がユーザの指やペン等によって触れられた場合に、センサ部材１５２は、静電容量の変化を検知する。そして、センサ部材１５２によって静電容量の変化が検知された場合に、かかるセンサ部材１５２の直下に位置する発光部材１５３は発光する。これにより、携帯端末装置１００は、外装パネル１４０に対して接触があった場合に、接触された位置の近傍を発光させることができる。
【００２８】
また、図６に示すように、可動側筐体１１０の内部には、スペーサ１６０ａ及び１６０ｂが設けられる。スペーサ１６０ａ及び１６０ｂは、筐体内部に間挿されることにより、筐体内部に空間が形成されることを防止する。なお、スペーサ１６０ａ及び１６０ｂは、発光部材１５３によって発光された光を導通させる導光板であってもよい。
【００２９】
また、図６に示した例において、外装パネル１４０の内面には、光を拡散させる拡散材が塗布されていてもよい。または、外装パネル１４０の内部に拡散材が混入されていてもよい。これにより、外装パネル１４０は、発光部材１５３によって発光された光をぼやかすことができる。
【００３０】
なお、図６に示した例において、外装パネル１４０とセンサ部材１５２とは、例えば、両面テープや塗布材等によって接着される。
【００３１】
上述してきたように、本実施例に係る携帯端末装置１００において、センサ部材１５２は、外装パネル１４０までの距離が短いので、外装パネル１４０に指等が触れられたことを高精度に検知することができる。すなわち、本実施例に係る携帯端末装置１００は、センサ部材１５２の感度を向上させることができ、その結果、外装パネル１４０に指等が触れられた場合に、発光部材１５３が発光しない状況を防止することができる。
【００３２】
なお、図７に示した例のように、フレキシブルケーブル内の同一領域にセンサ部材及び発光部材が設置される場合には、センサ部材及び発光部材のパターン配線を設計することが困難になる。これは、フレキシブルケーブル内の所定の領域内に、センサ部材及び発光部材の双方のパターン配線を組み込むことを要するからである。一方、本実施例に係る携帯端末装置１００において、センサモジュール１５０は、センサ部材１５２と発光部材１５３とがフレキシブルケーブル基材１５１の異なる領域に設置される。具体的には、図４に示したように、センサモジュール１５０は、フレキシブルケーブル基材１５１の領域１５０ａにセンサ部材１５２が設置され、フレキシブルケーブル基材１５１の領域１５０ｂに発光部材１５３が設置される。すなわち、本実施例におけるセンサモジュール１５０は、センサ部材１５２及び発光部材１５３のパターン配線を容易に設計することができる。
【００３３】
以上のように、本実施例に係る携帯端末装置１００は、静電センサの感度を向上させることができるとともに、フレキシブルケーブル基材１５１におけるパターン配線を容易にすることが可能になる。
【００３４】
また、本実施例に係る携帯端末装置１００は、同一のフレキシブルケーブル基材１５１上にセンサ部材１５２及び発光部材１５３が設置されるので、センサ部材１５２によって接触されたことが検知された場合に、発光部材１５３をすばやく発光させることができる。
【００３５】
また、本実施例に係る携帯端末装置１００において、発光部材１５３と対向する位置に孔１５４が形成されるので、発光部材１５３によって発光される光は、孔１５４を通過することができる。これにより、本実施例に係る携帯端末装置１００は、発光部材１５３によって発光される光の光量を減少させることなく、かかる光を外装パネル１４０まで到達させることができる。
【００３６】
なお、上記実施例では、可動側筐体１１０の外装の一部に接触部１４２が設けられる例を示した。しかし、本願の開示する携帯端末装置は、可動側筐体１１０の外装の一部だけでなく、可動側筐体１１０の外装の全面に接触部１４２が設けられる場合にも適用することができる。また、例えば、本願の開示する携帯端末装置は、固定側筐体１２０の外装の一部又は全面に接触部１４２が設けられる場合にも適用することができる。
【００３７】
また、上記実施例では、センサモジュール１５０の領域１５０ａに孔１５４が形成される例を示した。しかし、本願の開示する携帯端末装置は、孔１５４が形成されておらず、透明であるセンサモジュールを用いる場合にも適用することができる。透明であるセンサモジュールを用いることにより、孔１５４が形成されていない場合であっても、発光部材１５３によって発光される光の光量を減少させることなく、かかる光を外装パネル１４０まで到達させることができる。
【００３８】
また、上記実施例では、可動側筐体１１０が表示部１４１を有する例を示した。しかし、本願の開示する携帯端末装置は、可動側筐体１１０が表示部１４１を有しない場合にも適用することができる。
【００３９】
また、上記実施例では、本願の開示する携帯端末装置を折り畳み型の携帯電話機に適用する例を示したが、本願の開示する携帯端末装置は、折り畳み型以外の携帯電話機に適用することもできる。例えば、本願の開示する携帯端末装置は、筐体が分割されていないストレート型や、一方の筐体に対して他方の筐体をスライド自在としたスライド型の携帯端末装置等にも同様に適用することができる。
【００４０】
また、上記実施例では、本願の開示する携帯端末装置を携帯電話機に適用する例を説明したが、本願の開示する携帯端末装置は、これに限定されるものではない。例えば、本願の開示する携帯端末装置は、小型情報処理端末、小型音楽再生装置、携帯テレビ、携帯型ゲーム機等の他の各種携帯端末装置にも適用することができる。
【符号の説明】
【００４１】
９０  携帯端末装置
９１  外装パネル
９２  フレキシブルケーブル
９３ａ、９３ｂ  静電センサ
９４  ＬＥＤ
９５ａ、９５ｂ  スペーサ
１００  携帯端末装置
１１０  可動側筐体
１２０  固定側筐体
１３０  連結部
１４０  外装パネル
１４１  表示部
１４２  接触部
１５０  センサモジュール
１５１  フレキシブルケーブル基材
１５２  センサ部材
１５３  発光部材
１５４  孔
１６０ａ、１６０ｂ  スペーサ
【図１】
0005760358.tif 000002
【図２】
0005760358.tif 000003
【図３】
0005760358.tif 000004
【図４】
0005760358.tif 000005
【図５】
0005760358.tif 000006
【図６】
0005760358.tif 000007
【図７】
0005760358.tif 000008